(57)【要約】【課題】  光源からの出射光を変動表示装置及び装飾部に対して効率よく照射し、かつ、光源のメンテナンスが容易に行える遊技機を提供する。【解決手段】  本体枠に開閉自在に取り付けられた前面枠と、前面枠に取り付けられた装飾パネルと、装飾パネルの背後に設けられた反射部と、装飾パネルと反射部との間の空間に設けられた発光源と、を備える遊技機において、前面枠は、発光源を保持する発光源保持部材と、発光源保持部材を前面枠に取り付けるための取付部材と、を備え、発光源保持部材は、装飾パネルと反射部との間に形成される第１開口部から空間内へ上下方向に挿通され、発光源を保持する発光源保持部と、発光源保持部の後方に立設され、前後方向に撓む舌片の先端に係合爪を設けた係合部と、を備え、取付部材は、係合部の先端が上下方向に挿通可能な第２開口部を有し、係合部の係合爪が設けられた面を、第２開口部を形成する面に、当該開口部の内側から当接させた状態で、第２開口部の開口縁に係合爪を係止する被係止部を備える。【選択図】  図６
2006320388.tif 000002
【特許請求の範囲】
【請求項１】
本体枠に開閉自在に取り付けられた前面枠と、
前記前面枠に取り付けられた装飾パネルと、
前記装飾パネルの背後に設けられた反射部と、
前記装飾パネルと前記反射部との間の空間に設けられた発光源と、を備える遊技機において、
前記前面枠は、
前記発光源を保持する発光源保持部材と、
前記発光源保持部材を前記前面枠に取り付けるための取付部材と、を備え、
前記発光源保持部材は、
前記装飾パネルと前記反射部との間に形成される第１開口部から前記空間内へ上下方向に挿通され、前記発光源を保持する発光源保持部と、
前記発光源保持部の後方に立設され、前後方向に撓む舌片の先端に係合爪を設けた係合部と、を備え、
前記取付部材は、前記係合部の先端が上下方向に挿通可能な第２開口部を有し、前記係合部の前記係合爪が設けられた面を、前記第２開口部を形成する面に、当該開口部の内側から当接させた状態で、前記第２開口部の開口縁に前記係合爪を係止する被係止部を備えることを特徴とする遊技機。
【請求項２】
前記発光源保持部材は、前記係合部の後方に位置し、前記発光源保持部の底面から連続して立設され、前後に貫通口を有する固定部を備え、
前記取付部材は、前記第２開口部を形成する面から後方に延設された止着口が形成された被固定部を備え、
前記係合爪を前記被係止部に係止した状態で、前記係合部と前記固定部とで前記被係止部及び前記被固定部を狭持し、かつ、前記貫通口と前記止着口が連通することを特徴とする請求項１に記載の遊技機。
【請求項３】
前記発光源保持部材は、前記係合部と前記固定部との間の底面を前記被固定部の下面に当接させることを特徴とする請求項１又は２に記載の遊技機。
【請求項４】
前記取付部材は、前記被係止部の左右に、前記係合爪を前記被係止部に係止した状態で前記係合部の左右位置を規制するリブを設けることを特徴とする請求項１から３のいずれか一つに記載の遊技機。
【発明の詳細な説明】
【技術分野】
【０００１】
本発明は、遊技機に関し、特に、前面枠の背面に脱着可能な発光源を備える遊技機に関する。
【背景技術】
【０００２】
スロットマシンは、円筒の周壁に図柄が施された回転体よりなる変動表示装置を内部に備える。変動表示装置の前面には、シルク印刷などによって装飾が施されたクリア部材が配設される。そして、当該装飾部の背後に蛍光灯などの光源を臨ませて、当該装飾部及び変動表示装置を照射して装飾効果を高めている。
【０００３】
しかし、クリア部材の背後から光源によって直接照射すると、クリア部材に明るさのむらが発生する。よって、クリア部材の背後に反射部を設けて、この反射部に光源の出射光を反射させて間接的にクリア部材を照射することにより、明るさのむらを防止する技術が提案されている（例えば、特許文献１参照）。
【特許文献１】特開平９−２９９５４７号公報
【発明の開示】
【発明が解決しようとする課題】
【０００４】
光源からの出射光を変動表示装置及びクリア部材の装飾部に効率よく照射するためには、光源の背後に反射部を延在させて、クリア部材と反射部との間に光源を狭装することが望ましい。
【０００５】
一方、スロットマシンを長期間使用すると、光源が汚れたり、寿命により光源が点灯しなくなったりする場合があり、光源の清掃や交換といったメンテナンスが必要になる。しかし、前述のようにクリア部材と反射部との間に光源を狭装すると、光源のメンテナンス時に、反射部又はクリア部材のどちらかを取り外さなければならず、メンテナンス作業が煩雑になる。
【０００６】
そこで、本発明は、光源からの出射光を変動表示装置及び装飾部に対して効率よく照射し、かつ、光源のメンテナンスが容易に行える遊技機を提供することを目的とする。
【課題を解決するための手段】
【０００７】
第１の発明は、本体枠に開閉自在に取り付けられた前面枠と、前記前面枠に取り付けられた装飾パネルと、前記装飾パネルの背後に設けられた反射部と、前記装飾パネルと前記反射部との間の空間に設けられた発光源と、を備える遊技機において、前記前面枠は、前記発光源を保持する発光源保持部材と、前記発光源保持部材を前記前面枠に取り付けるための取付部材と、を備え、前記発光源保持部材は、前記装飾パネルと前記反射部との間に形成される第１開口部から前記空間内へ上下方向に挿通され、前記発光源を保持する発光源保持部と、前記発光源保持部の後方に立設され、前後方向に撓む舌片の先端に係合爪を設けた係合部と、を備え、前記取付部材は、前記係合部の先端が上下方向に挿通可能な第２開口部を有し、前記係合部の前記係合爪が設けられた面を、前記第２開口部を形成する面に、当該開口部の内側から当接させた状態で、前記第２開口部の開口縁に前記係合爪を係止する被係止部を備える。
【０００８】
第２の発明は、第１の発明において、前記発光源保持部材は、前記係合部の後方に位置し、前記発光源保持部の底面から連続して立設され、前後に貫通口を有する固定部を備え、前記取付部材は、前記第２開口部を形成する面から後方に延設された止着口が形成された被固定部を備え、前記係合爪を前記被係止部に係止した状態で、前記係合部と前記固定部とで前記被係止部及び前記被固定部を狭持し、かつ、前記貫通口と前記止着口が連通する。
【０００９】
第３の発明は、第１又は第２の発明において、前記発光源保持部材は、前記係合部と前記固定部との間の底面を前記被固定部の下面に当接させる。
【００１０】
第４の発明は、第１〜第３の発明において、前記取付部材は、前記被係止部の左右に、前記係合爪を前記被係止部に係止した状態で前記係合部の左右位置を規制するリブを設ける。
【発明の効果】
【００１１】
第１の発明によれば、本体枠に開閉自在に取り付けられた前面枠と、前面枠に取り付けられた装飾パネルと、装飾パネルの背後に設けられた反射部と、装飾パネルと反射部との間の空間に設けられた発光源と、を備える遊技機において、前面枠は、発光源を保持する発光源保持部材と、発光源保持部材を前面枠に取り付けるための取付部材と、を備え、発光源保持部材は、装飾パネルと反射部との間に形成される第１開口部から空間内へ上下方向に挿通され、発光源を保持する発光源保持部と、発光源保持部の後方に立設され、前後方向に撓む舌片の先端に係合爪を設けた係合部と、を備え、取付部材は、係合部の先端が上下方向に挿通可能な第２開口部を有し、係合部の係合爪が設けられた面を、第２開口部を形成する面に、当該開口部の内側から当接させた状態で、第２開口部の開口縁に係合爪を係止する被係止部を備えることによって、被係止部に係合部を上下方向に挿通して係合させるだけで、装飾パネルと反射部との間の空間内に発光源保持部を配置させることができる。また、発光源保持部材を着脱させるだけで容易に光源のメンテナンスができる。
【００１２】
第２の発明によれば、発光源保持部材は、係合部の後方に位置し、発光源保持部の底面から連続して立設され、前後に貫通口を有する固定部を備え、取付部材は、第２開口部を形成する面から後方に延設された止着口が形成された被固定部を備え、係合爪を被係止部に係止した状態で、係合部と固定部とで被係止部及び被固定部を狭持し、かつ、貫通口と止着口が連通すことによって、係合爪が被係止部に係止されると、被係止部及び被固定部が係合部と固定部とで狭持され、発光源保持部材を手で押さえることなく固定部と被固定部とにネジを挿通して発光源保持部材を取付部材に固定できる。
【００１３】
第３の発明によれば、発光源保持部材は、係合部と固定部との間の底面を被固定部の下面に当接させることによって、係合部と固定部との間に設けられた底面が被固定部の下面により支持されるため、発光源の重みで発光源保持部材の発光源保持部が前方にずれ落ち、係合部が被係止部から脱落することを防止できる。
【００１４】
第４の発明によれば、取付部材は、被係止部の左右に、係合爪を被係止部に係止した状態で係合部の左右位置を規制するリブを設けることによって、係合部の左右方向の位置が規制されるため、さらに固定部を被固定部に固定しやすい。
【発明を実施するための最良の形態】
【００１５】
以下、本発明の実施の形態について説明する。
【００１６】
図１は、本発明の実施の形態の遊技機１の構成を示す斜視図である。
【００１７】
遊技機（スロットマシン）１は、左側に蝶番を有し、この蝶番を軸として片開き形式に開閉自在な前面枠２を備えている。
【００１８】
前面枠２の中央には開口窓部３が設けられている。開口窓部３は、背面から取り付けられたクリア部材（装飾パネル）４によって閉塞されている。クリア部材４は、透明プラスチック板等の透明樹脂からなり、シルクスクリーン印刷や印刷されたフィルムの貼付等により装飾（図示省略）が施されている。特に、クリア部材４の上部には、遊技方法や入賞図柄の組合せ等の図柄が装飾により施されている。
【００１９】
クリア部材４の背面上方には発光源６４（図６）が設けられており、クリア部材４を背面側から照射して装飾効果を高めている。なお、クリア部材４は、一部に装飾が施されていない領域（又は無色透明の装飾が施されている領域）を有する。当該領域は、開口窓部３の背面側を前面から視認可能な表示窓部を形成する。
【００２０】
開口窓部３の背面には、変動表示装置（可変表示装置）を構成する３個のリールが、回転自在に並んで配置されている。各リールの外周面には、複数種類のシンボル（図柄）からなる図柄列が表記されている。リールはリール用モータによって駆動され、互いに独立して回転する。遊技機１では、リールの回転によって変動表示ゲームが行われる。そして、変動表示の停止結果が、有効ライン上において所定の表示態様（所定の図柄組合せ態様）となることによって、所定の遊技価値を遊技者に付与する。
【００２１】
クリア部材４の略中央には、リールの回転によって変動表示（可変表示）する図柄を遊技者に視認させるための表示窓部（図示省略）が設けられている。リールが停止すると、表示窓部から、リールの外周面に表記された図柄列のうちそれぞれ３個の図柄が視認可能となる。つまり、リールが停止した状態で、表示窓部から合計９個の図柄を視認することができる。リールは、クリア部材４の背面上方に設けられた発光源６４によって上方から照射されている。これにより、表示窓部内の図柄は、遊技者に明瞭に視認される。
【００２２】
また、開口窓部３の背面下方には、７セグメントＬＥＤ又は液晶ディスプレイよりなる払出枚数表示部、遊技進行表示部及びクレジット数表示部が設けられている。そして、クリア部材４の下部には、これらの払出枚数表示部、遊技進行表示部及びクレジット数表示部を視認するための表示窓部が設けられている。
【００２３】
払出枚数表示部は、入賞が確定することにより得られるメダルの払出枚数、又は、遊技機１の動作に異常（例えば、メダル不足、メダル詰まり）が発生した場合に、予め設定したエラーコードを表示する。遊技進行表示部は、アシスト（ＡＴ）状態（小役等の入賞フラグの状態、リールの特定の停止順等が遊技者に報知される遊技状態）中、ＢＢ状態中又はＲＢ状態中の残りゲーム回数を表示する。クレジット数表示部は、遊技者のメダル投入操作によって蓄積されるクレジット数を表示する。
【００２４】
クリア部材４の前方の傾斜台部６には、右方にメダルを投入するメダル投入口７が設けられている。このメダル投入口７にメダルを投入すると、投入されたメダルは賭数として加算される。なお、賭数が最大ベット可能枚数（例えば、３枚）に達している場合は、投入されたメダル数は賭数に加算されることなく、クレジット数に加算される。また、クレジット数が限度値（例えば、５０）に達している場合は、投入されたメダルはクレジット数に加算されることなく、前面枠２の最下部に設けられた受皿８に排出される。受皿８は、前面枠２の背面側にあるメダル払出装置（ホッパ）から払い出され、排出口５から排出されたメダルを貯留する。
【００２５】
傾斜台部６には、一回の押圧操作によって最大ベット可能枚数のメダルをベットするベットボタン９が設けられている。ベットボタン９を操作すると、例えば、メダルが１枚もベットされていない場合は３枚のメダルがベットされ、メダルが１枚だけベットされている場合はさらに２枚のメダルがベットされる。このベットボタン９を用いることによって、メダル投入口７からメダルを投入することなく、クレジット数以内でメダルをベットすることができる。
【００２６】
前面枠２の下方には、四辺形状の化粧パネル１０が設けられている。化粧パネル１０の左上方には、クレジットを精算するためのクレジット精算ボタン１１が設けられている。クレジット精算ボタン１１の操作によってクレジット数に相当する数のメダルが受皿８に排出され、同時にクレジット数表示部の表示はクリアされて０になる。
【００２７】
クレジット精算ボタン１１の右側には、リールの回転を一斉に開始させるためのスタートレバー１２が設けられている。スタートレバー１２の右側には、各リールの回転を停止させ、停止図柄を導出させるためのリール停止ボタン１３〜１５が設けられている。リール停止ボタン１３〜１５が操作されると、各ボタンに対応したリールがそれぞれ回転を停止する。なお、賭数が０の場合は、変動表示ゲームの開始条件が満たされていないため、スタートレバー１２を操作してもリールは回転しない。
【００２８】
リール停止ボタン１５の右側には、返却ボタン１６が設けられている。メダル投入口７からのメダルの流下路２４（図２）内にメダルが詰まった場合に返却ボタン１６を操作すると、流下路２４に詰まったメダルが受皿８に返却される。
【００２９】
前面枠２の上方には、上部装飾ユニット１７が設けられている。上部装飾ユニット１７では補助ゲームが実行され、変動表示ゲームに関連する演出表示や情報表示を行う。上部装飾ユニット１７は、図示しない表示制御装置によって制御され、表示内容を変動する。なお、補助ゲームは、特定の結果を導出することで、変動表示ゲームにおいて特定入賞のフラグが成立したことを遊技者に報知することができる。
【００３０】
上部装飾ユニット１７の上方左右には、スピーカ２２（図２）の放音部１８が設けられている。また、受皿８内の奥まった位置には、左右それぞれにスピーカ２３（図２）の放音部１９が設けられている。
【００３１】
また、上部装飾ユニット１７の上方には、装飾用ランプ、ＬＥＤ等からなる装飾部２０が設けられている。装飾部２０は、ＢＢ状態又はＲＢ状態の発生時に種々の態様で点灯することによって、遊技の興趣を向上させる。また、受皿８の左方には、灰皿２１が設けられている。
【００３２】
図２は、本発明の実施の形態の前面枠２の背面図である。
【００３３】
前面枠２の開口窓部３には、クリア部材４が装着された取付部材３０が背面側から嵌め込まれている。取付部材３０の上部、つまり、クリア部材４の上部には、発光源６４を内部に備えた発光源保持部材５０が取り付けられている。なお、取付部材３０は、接続ケーブルを覆うカバー部材２７によって背面の各所が覆われている。
【００３４】
前面枠２の上方及び下方には、スピーカ２２又は２３が設けられている。なお、スピーカ２２の前面には放音部１８が、スピーカ２３の前面には放音部１９が位置する。スピーカ２２及び２３は、図示しない音制御装置によって制御され、ビッグボーナス（ＢＢ）状態又はレギュラーボーナス（ＲＢ）状態の発生時に放音部１８又は１９から効果音を出力して、遊技の興趣を向上させる。
【００３５】
また、前面枠２の中央には、前面のメダル投入口７から投入されたメダルの流下路２４が設けられている。投入されたメダルは、流下路２４を流下すると、投入メダル検出センサ２５によって検出されて、賭数又はクレジット数として加算される。一方、返却ボタン１６が操作されることによってメダルの流路が切り替えられると、メダル投入口７から投入されたメダルは、返却メダル流路２６へ流下する。そして、排出口５から前面の受皿８に排出される。
【００３６】
図３は、本発明の実施の形態の取付部材３０及び発光源保持部材５０を背面側から見た斜視図である。
【００３７】
取付部材３０は、クリア部材４を保持するためのクリア部材保持枠３１と、中継基板３２を保持するための中継基板ホルダ３３とからなる。クリア部材保持枠３１及び中継基板ホルダ３３は、いずれも白色の樹脂で構成する。
【００３８】
なお、図において、図示されていない面が取付部材３０の前面であって、中継基板ホルダ３３が取り付けられている面が取付部材３０の背面である。クリア部材保持枠３１、中継基板ホルダ３３及び発光源保持部材５０においても、前面及び背面方向は取付部材３０と同一である。
【００３９】
クリア部材保持枠３１は、上枠部３４、上枠部３４の左右にそれぞれ設けられた左右枠部３５、及び、上枠部３４の下方に設けられた下枠部３６の四つに区分されている。また、上枠部３４及び左右枠部３５の上部には、クリア部材保持枠３１を前面枠２に取り付けるためのネジ穴を複数有する取付面３７が設けられている。
【００４０】
なお、上枠部３４は開口窓部となっており、開口窓部を通してその背面側に設けられたリールを視認することができる。また、下枠部３６は前面を平面３６０で覆われている。平面３６０には、払出枚数表示部、遊技進行表示部及びクレジット数表示部を視認するための窓部３６５が形成されている。
【００４１】
クリア部材４の上枠部３４に対応する位置には、変動表示する図柄を視認するための表示窓部が中央に形成される。また、クリア部材４の上枠部３４上部に対応する位置には、遊技方法や入賞図柄の組合せ等の装飾が施される。クリア部材４の左右枠部３５に対応する部位は、装飾が施されておらず、内部の装飾が遊技機１の前面から視認することができるようになっている。下枠部３６に対応するクリア部材４には装飾が施されておらず、窓部３６５から払出枚数表示部、遊技進行表示部及びクレジット数表示部を視認することができる。
【００４２】
クリア部材保持枠３１の上辺中央には、二つの係合凹部３９が形成されている。また、中継基板ホルダ３３の上辺中央には、係合凹部３９と同一の間隔で二つの係合爪３８が設けられている。そして、係合爪３８を係合凹部３９に係止することによって、中継基板ホルダ３３はクリア部材保持枠３１の上部に固定される。
【００４３】
また、クリア部材保持枠３１の背面上部には、中継基板ホルダ３３との接面に、左右それぞれ円筒状のスペーサ４４（図５）が設けられている。中継基板ホルダ３３の前面には、クリア部材保持枠３１との接面であってスペーサ４４と対応する位置に、スペーサ４４を収容可能な収容部４８（図７）が設けられている。また、収容部４８は、中心部に穴４０を有する。よって、スペーサ４４を収容部４８に収容させて、穴４０からスペーサ４４にネジを挿通することで、中継基板ホルダ３３はクリア部材保持枠３１の上部に固定される。
【００４４】
中継基板ホルダ３３は、クリア部材保持枠３１の中央に取り付けると、上枠部３４内に収容される。
【００４５】
中継基板ホルダ３３は、その内側に、中継基板３２を収容可能な凹部４１が設けられている。中継基板３２は、この凹部４１に嵌め込まれ、後述のようにネジで固定されることによって、中継基板ホルダ３３に取り付けられる。
【００４６】
中継基板ホルダ３３の背面には、凹部４１の左右外側に、被係止部４２が延伸して設けられている。被係止部４２は、上下方向に貫通する係止穴部（第２開口部）４２０を有する。また、被係止部４２には、被固定部として円筒状のスペーサ（止着口）４３が背面側に延設されている。スペーサ４３には、中継基板ホルダ３３の背面から前方向にネジを挿入することができる。
【００４７】
発光源保持部材５０は、透明の樹脂からなり、上枠部３４及び中継基板ホルダ３３と略同一の幅で形成されている。また、水平方向に凹部が形成された底部５１と、底部５１と連結して直立した平面部５２とからなる。
【００４８】
底部５１には、底面から直立した垂直面６２（図６）が設けられている。底部５１は、垂直面６２によって長軸方向に区画されている。これによって、発光源保持部材５０の前面側に、所定幅の発光源保持部５３が形成されている。図６で後述するように、発光源保持部５３には発光源６４が収容される。
【００４９】
底部５１は、凹部が形成された底面部５４と、平面部５２と底面部５４とを連結する傾斜部５５とからなる。底面部５４と傾斜部５５とが接合される線上には、左右に一つずつ、係合部５６が底面から直立して設けられている。係合部５６は、中継基板ホルダ３３の左右に設けられた被係止部４２と同じ間隔で立設されている。また、各係合部５６は、係止穴部４２０に上下方向に挿通可能な幅で形成されている。
【００５０】
傾斜部５５は、発光源保持部材５０の長軸方向の両端に、平面部５２と平行に形成された所定幅の固定面５７を有する。固定面５７は、固定部５８が設けられている。固定部５８は、発光源保持部材５０を前後方向に貫通する穴を有する。固定部５８は、係合部５６を係止穴部４２０に挿通させて発光源保持部材５０を中継基板ホルダ３３に係止した場合に、スペーサ４３に当接する位置に設けられている。つまり、固定部５８からスペーサ４３内にネジを挿通させることができ、これにより発光源保持部材５０を中継基板ホルダ３３に固定することができる。
【００５１】
平面部５２には、中継基板３２に接続された接続ケーブルを背面側に掛け渡すための配線集結部５９、及び、インバータ６０を取り付けるためのインバータ取付部６１が設けられている。
【００５２】
図４は、本発明の実施の形態の発光源保持部材５０を装着した取付部材３０を背面側から見た斜視図である。
【００５３】
発光源保持部材５０に設けられた係合部５６は、先端が後方に突出した尖形であって、上端から一定の位置（例えば、上端から１０ミリの位置）において鉤形に形成されている。よって、係合部５６を係止穴部４２０へ下方から挿入すると、係合部５６の後面が被係止部４２に内側から当接して、先端の尖形状に沿って係合部５６が前方に撓む。そして、係止穴部４２０の上辺に係合部５６の鉤状部分が到達すると、当該鉤状部分が係止穴部４２０の上辺に係り合い、発光源保持部材５０が中継基板ホルダ３３に係止される。一方、被係止部４２に係止された係合部５６の先端を後方から前方に向けて押圧すると、係合部５６の鉤状部分が係止穴部４２０の上辺から外れて、発光源保持部材５０を中継基板ホルダ３３から容易に取り外すことができる。
【００５４】
発光源保持部材５０と中継基板ホルダ３３とは、固定部５８に設けられた穴とスペーサ４３とをネジで螺合することによって固定される。その際、係合部５６を被係止部４２に係止することによって、発光源保持部材５０を中継基板ホルダ３３に仮固定することができる。そして、係合爪５６が被係止部４２に係止されると、被係止部４２及びスペーサ４３が係合部５６と固定部５８とで狭持され、発光源保持部材５０を手で押さえることなく、固定部５８に設けられた穴とスペーサ４３とにネジを挿通して、発光源保持部材５０を中継基板ホルダ３３に固定できる。
【００５５】
また、係合部５６は、底部５１の前後方向の中間に形成されている。よって、係合部５６を被係止部４２に係合させた場合、係合部５６より前方に位置する底部５１は、中継基板ホルダ３３より前方に位置し、係合部５６より後方に位置する底部５１は、中継基板ホルダ３３より後方に位置する。
【００５６】
係合部５６より前方には、発光源保持部５３が設けられている。よって、発光源保持部５３に収容された発光源６４は、中継基板ホルダ３３より前方であってクリア部材４の背面に配置される。つまり、発光源６４は、クリア部材４の背面の上部に配置される。
【００５７】
このように、発光源６４がクリア部材４の背面上部に配置されることによって、クリア部材４の上部に施された装飾が背面側から照射され、遊技機１の装飾効果を高めることができる。また同時に、クリア部材４の背面に設けられたリールが、発光源６４によって上方から照射されて、遊技者に対して図柄を明瞭に表示することができる。
【００５８】
また、係合部５６の後方には、係合部５６から所定の間隔だけ離れた位置に平面部５２が直立して備えられている。よって、発光源保持部材５０を中継基板ホルダ３３に取り付けた場合に、中継基板ホルダ３３から平面部５２までの間に配線収容部７０（図１１）が形成される。この配線収容部７０には、中継基板３２やインバータ６０に接続された接続ケーブルを収容することができる。
【００５９】
図５は、本発明の実施の形態の取付部材３０を背面側から見た分解斜視図である。
【００６０】
上枠部３４の上部には、左右それぞれにスペーサ４４が円筒状に設けられている。スペーサ４４の下方には、クリア部材保持枠３１の前方上部から後方下部へ向かって傾斜する板状の反射面４５が設けられている。反射面４５は、白色の樹脂で形成されているため、発光源６４からの出射光を、反射面４５が設けられた角度に応じて反射することができる。
【００６１】
図８で後述するように、発光源保持部材５０を、取付部材３０に固定された中継基板ホルダ３３に取り付けた場合、発光源６４は反射面４５の真下に位置する。反射面４５は、クリア部材保持枠３１の前方上部から後方下部へ傾斜しているため、真下からの出射光は前方、つまり、クリア部材４の方向へ反射する。このように、反射面４５は、発光源６４からの光を反射させて間接的にクリア部材４に照射して、クリア部材４の上部に当る光にむらができるのを防止する。
【００６２】
中継基板３２は、中継基板ホルダ３３の凹部４１に嵌め込まれ、左右に設けられた穴４６から凹部４１の左右に設けられたネジ穴４７にネジを挿通することによって、中継基板ホルダ３３の背面に固定される。
【００６３】
中継基板ホルダ３３は、係合爪３８とクリア部材保持枠３１に設けられた係合凹部３９とを掛け合わせ、更に、穴４０からクリア部材保持枠３１に設けられたスペーサ４４にネジを挿通することによって、クリア部材保持枠３１の背面に固定される。
【００６４】
クリア部材４は、クリア部材保持枠３１の前面に形成された溝（図示省略）に嵌め込まれて固定される。
【００６５】
図６は、本発明の実施の形態の発光源保持部材５０の分解斜視図である。
【００６６】
発光源保持部材５０の底部５１を区画する垂直面６２は、長軸方向の両端それぞれに所定幅の切欠部６３を有する。
【００６７】
発光源６４は、蛍光管（例えば、冷陰極管）で構成する。発光源６４は、発光源保持部５３に収容可能な長さ及び管径のものを用いる。発光源６４の両端には、インバータ６０との接続端子６５が設けられている。この接続端子６５を、垂直面６２の両端に設けられた切欠部６３に嵌合させることによって、発光源６４を発光源保持部５３内に固定することができる。また、発光源６４とインバータ６０とを接続する接続ケーブルを、発光源取付溝６３を通じて掛け渡すことができる。
【００６８】
インバータ取付部６１は、インバータ６０と同一の幅で構成されており、左右それぞれに取付溝６６が設けられている。この取付溝６６に、インバータ６０の両端に設けられた張出部６７を嵌合させることによって、インバータ６０がインバータ取付部６１に装着される。また、インバータ取付部６１の中央には、先端が楔形のフック６８が設けられている。インバータ６０をインバータ取付部６１に装着すると、フック６８がインバータ６０の上辺に係り合うため、インバータ６０はインバータ取付部６１に固定される。
【００６９】
図７及び図８は、本発明の実施の形態のクリア部材４、取付部材３０及び発光源保持部材５０の横断面図である。なお、図７は図３のＡ−Ａ断面図であって、図８は図４のＢ−Ｂ断面図である。
【００７０】
クリア部材保持枠３１は、前面側からクリア部材４が嵌め込まれている。なお、図において、左側が取付部材３０の前面側であって、右側が取付部材３０の背面側である。クリア部材４、クリア部材保持枠３１、中継基板ホルダ３３及び発光源保持部材５０においても、前面及び背面方向は取付部材３０と同一である。
【００７１】
クリア部材保持枠３１は、反射面４５の背面に凸状のスペーサ４４が設けられている。このスペーサ４４に、中継基板ホルダ３３の前面に設けられた収容部４８が嵌合することによって、中継基板ホルダ３３がクリア部材保持枠３１に固定されている。
【００７２】
中継基板ホルダ３３には、被係止部４２が設けられている。図８に示すように、係合部５６を係止穴部４２０の下方から上方に挿通すると、背面側を鉤状に形成された係合部５６が、スペーサ４３の上部に係り合って、発光源保持部材５０が中継基板ホルダ３３に係止される。そして、固定部５８からスペーサ４３へネジを螺合させることによって、発光源保持部材５０が中継基板ホルダ３３に固定される。
【００７３】
発光源保持部材５０を中継基板ホルダ３３に固定すると、底部５１に設けられた垂直面６２の上辺は、取付部材３０の反射面４５の下辺と略当接する。よって、垂直面６２より前方に設けられた発光源保持部５３内の発光源６４は、背部を反射面４５及び垂直面６２によって覆われ、前方にクリア部材４が配置された状態となる。
【００７４】
図９は、本発明の実施の形態のクリア部材４、取付部材３０及び発光源保持部材５０の横断面図の別の形態である。
【００７５】
本形態では、係合部５６と固定部５８との間の底面を、発光源保持部材５０を中継基板ホルダ３３に装着した場合に、スペーサ４３の下面に当接する高さで形成する。つまり、固定部５８の下方に台座６９を設ける。
【００７６】
係合部５６と固定部５８との間に台座６９を設けることで、台座６９がスペーサ４３の下面に当接して発光源保持部材５０がスペーサ４３に支持される。これによって、発光源６４の重みで発光源保持部材５０の発光源保持部５３が前方にずれ落ち、係合部５６が被係止部４２から脱落することを防止できる。
【００７７】
図１０及び図１１は、本発明の実施の形態のクリア部材４、取付部材３０、中継基板３２及び発光源保持部材５０の横断面図である。なお、図１０は図３のＣ−Ｃ断面図であって、図１１は図４のＤ−Ｄ断面図である。
【００７８】
クリア部材保持枠３１には、前面側からクリア部材４が嵌め込まれており、背面側から中継基板ホルダ３３が固定されている。
【００７９】
中継基板ホルダ３３には、背面に中継基板３２が装着されている。中継基板３２の背面には、図示しない外部機器を電気的に接続するための制御端子台３２０が実装されている。このクリア部材保持枠３１と外部機器とは、クリア部材保持枠３１の背面に設けられたコネクタに差し込まれた接続ケーブルによって接続されている。
【００８０】
発光源保持部材５０を中継基板ホルダ３３に装着すると、発光源保持部材５０のうち前方に設けられた発光源保持部５３が、中継基板ホルダ３３の凹部４１より前方に位置する。発光源保持部５３に収容された発光源６４は、いずれも白色樹脂よりなる反射面４５及び中継基板ホルダ３３の凹部４１によって背面が覆われて光が反射し、前方のクリア部材４及び変動表示装置に対してのみ光を照射することができる。すなわち、特許請求の範囲に記載された反射部は、反射面４５、及び、中継基板ホルダ３３の凹部４１の下方に位置する垂直面６２との接面で構成される。
【００８１】
また、発光源保持部材５０を中継基板ホルダ３３に装着すると、発光源保持部材５０のうち後方に設けられた平面部５２及び傾斜部５５が、中継基板ホルダ３３より後方に位置する。平面部５２及び傾斜部５５は、中継基板３２との間に配線収容部７０を形成する。配線収容部７０は、制御端子台３２０と外部機器との接続ケーブルを収容することができる。
【００８２】
つまり、発光源保持部材５０を中継基板ホルダ３３に対して下方から装着することによって、発光源保持部５３を、クリア部材４と凹部４１の下辺との間に形成された開口部４００から、開口部４００上方の空間内に挿通させ、発光源６４を当該空間内に配置させることができる。よって、反射面４５やクリア部材４を取り外すことなく、発光源保持部材５０を着脱させるだけで、容易に光源のメンテナンスができる。また、発光源保持部材５０を中継基板ホルダ３３に装着することによって、発光源６４を上記空間内に配置させるとともに、中継基板３２の背面に接続ケーブルを収容する空間を形成することができる。
【００８３】
図１２は、本発明の実施の形態の係合部５６及び被係止部４２の縦断面図であって、図４のＥ−Ｅ断面図である。
【００８４】
中継基板ホルダ３３の両端に設けられた被係止部４２は、発光源保持部材５０の両端に設けられた係合部５６と略同一の幅で形成されている。よって、係合部５６を係止穴部４２０に挿通すると、係合部５６は係止穴部４２０の両側に設けられた位置決めリブ４９によって左右方向への移動が規制されて、位置が決められる。
【００８５】
また、被係止部４２に設けられた位置決めリブ４９で係合部５６の位置が決められることによって、被係止部４２の背面に設けられたスペーサ４３と、発光源保持部材５０の固定面５７に設けられた固定部５８との位置が決められる。固定部５８は、係合部５６が係止穴部４２０に挿通された場合に、スペーサ４３の後方に重なる位置に設けられている。つまり、係止穴部４２０の両側に位置決めリブ４９を設けることによって、係合部５６の左右方向の位置が規制されるため、さらに固定部５８をスペーサ４３に固定しやすい。
【００８６】
なお、今回開示した実施の形態は、全ての点で例示であって制限的なものではない。また、本発明の範囲は前述した発明の説明ではなくて特許請求の範囲によって示され、特許請求の範囲と均等の意味及び内容の範囲での全ての変更が含まれることが意図される。
【産業上の利用可能性】
【００８７】
以上のように、本発明は、前面枠の背後に発光源を取り付けて装飾効果を高めるスロットマシン遊技機、パチンコ遊技機、コイン遊技機等の遊技機に適用することができる。
【図面の簡単な説明】
【００８８】
【図１】本発明の実施の形態の遊技機の構成を示す斜視図である。
【図２】本発明の実施の形態の前面枠の背面図である。
【図３】本発明の実施の形態の取付部材及び発光源保持部材を背面側から見た斜視図である。
【図４】本発明の実施の形態の発光源保持部材を装着した取付部材を背面側から見た斜視図である。
【図５】本発明の実施の形態の取付部材を背面側から見た分解斜視図である。
【図６】本発明の実施の形態の発光源保持部材の分解斜視図である。
【図７】本発明の実施の形態のクリア部材、取付部材及び発光源保持部材の横断面図である。
【図８】本発明の実施の形態のクリア部材、取付部材及び発光源保持部材の横断面図である。
【図９】本発明の実施の形態のクリア部材、取付部材及び発光源保持部材の横断面図の別の形態である。
【図１０】本発明の実施の形態のクリア部材、取付部材、中継基板及び発光源保持部材の横断面図である。
【図１１】本発明の実施の形態のクリア部材、取付部材、中継基板及び発光源保持部材の横断面図である。
【図１２】本発明の実施の形態の係合部及び被係止部の縦断面図である。
【符号の説明】
【００８９】
１  遊技機
２  前面枠
４  クリア部材
３０  取付部材
３１  クリア部材保持枠
３３  中継基板ホルダ
４２  被係止部
４３  スペーサ
４５  反射面
４９  位置決めリブ
５０  発光源保持部材
５１  底部
５３  発光源保持部
５４  底面部
５６  係合部
５８  固定部
６４  発光源
６９  台座
７０  配線収容部
４００  開口部
４２０  係止穴部
【図１】
2006320388.tif 000003
【図２】
2006320388.tif 000004
【図３】
2006320388.tif 000005
【図４】
2006320388.tif 000006
【図５】
2006320388.tif 000007
【図６】
2006320388.tif 000008
【図７】
2006320388.tif 000009
【図８】
2006320388.tif 000010
【図９】
2006320388.tif 000011
【図１０】
2006320388.tif 000012
【図１１】
2006320388.tif 000013
【図１２】
2006320388.tif 000014